(57)【要約】      （修正有）【課題】良好な排油性を有し、軸受に対する潤滑油過多や軸受の異常発熱を抑制することができる主軸装置用軸受を提供する。【解決手段】工具を取り付け可能な回転軸をハウジングに対して回転自在に支持するとともに、オイル潤滑によって潤滑される主軸装置用軸受７０であって、外輪７１には、排油穴７１ａ，７１ｂが径方向に貫通形成されるとともに、外輪７１の外周面には、排油穴７１ａ，７１ｂと連通する周方向溝７５ａ，７５ｂが形成される。排油穴７１ａ，７１ｂ内には、負圧発生装置の吸引力によって、負圧が作用する。【選択図】図５
2010133548.tif 000002
【特許請求の範囲】
【請求項１】
外周面に内輪軌道面を有する内輪と、
内周面に外輪軌道面を有する外輪と、
前記内輪軌道面と前記外輪軌道面との間に配置される複数の転動体と、
を有し、工具を取り付け可能な回転軸をハウジングに対して回転自在に支持するとともに、オイル潤滑によって潤滑される主軸装置用軸受であって、
前記外輪には、排油穴が径方向に貫通形成されるとともに、前記外輪の外周面には、前記排油穴と連通する周方向溝が形成され、
該排油穴内には、軸受外部からの吸引力によって、負圧が作用することを特徴とする主軸装置用軸受。
【請求項２】
前記外輪の内周面には、前記排油穴が開口する軸方向位置に集油溝が周方向に亘って形成されることを特徴とする請求項１に記載の主軸装置用軸受。
【請求項３】
外周面に内輪軌道面を有する内輪と、
内周面に外輪軌道面を有する外輪と、
前記内輪軌道面と前記外輪軌道面との間に配置される複数の転動体と、
を有し、工具を取り付け可能な回転軸をハウジングに対して回転自在に支持するとともに、オイル潤滑によって潤滑される主軸装置用軸受であって、
前記外輪には、排油穴が径方向に貫通形成されるとともに、前記外輪の内周面には、前記排油穴が開口する軸方向位置に集油溝が周方向に亘って形成され、
該排油穴内には、軸受外部からの吸引力によって、負圧が作用することを特徴とする主軸装置用軸受。
【発明の詳細な説明】
【技術分野】
【０００１】
本発明は、主軸装置用軸受に関し、より詳細には、多軸制御の工作機械等に適用され、外部から潤滑油が供給される、高速回転可能な主軸装置用軸受に関する。
【背景技術】
【０００２】
例えば、５軸加工機や複合加工工作機械のような多軸制御される工作機械では、工具が取り付けられる回転軸が、水平位置と垂直位置との間、或いは、３６０度全域に亘って旋回可能な、チルトタイプの主軸装置が使用されている。
【０００３】
このような主軸装置では、内部に配置された軸受を潤滑する方式として、エアを利用して、外部から軸受内部に微量の潤滑油を供給するオイルエア潤滑方式やオイルミスト潤滑方式、また、潤滑油を軸受内部に間欠的に高速度で直接噴射する直接噴射方式が採用されている。
【０００４】
例えば、オイルエア潤滑やオイルミスト潤滑では、図３２に示すように、ノズル９０１から軸受９００に潤滑油を供給するとともに、外輪９００ａや間座９０２に形成された排油穴９０３ａや排油溝９０３ｂからハウジング９０４の排油通路９０５を経て外部に排出される構造が知られている（例えば、特許文献１参照。）。
【先行技術文献】
【特許文献】
【０００５】
【特許文献１】実開昭６３−１３９３２４号公報（第３図）
【発明の概要】
【発明が解決しようとする課題】
【０００６】
ところで、特許文献１に記載の工作機械用主軸装置では、重力作用により潤滑油をハウジング９０４の排油通路９０５を介して自然に排油するものであるが、軸受内部やその周辺に潤滑のために使用された潤滑油が排出しきれない可能性がある。特に、ｄｍ・Ｎ５０万以上、さらに軸受内部の残油量が潤滑条件に敏感に作用するｄｍ・Ｎ１００万以上で高速回転可能な主軸装置においては、潤滑油過多や攪拌抵抗によって異常発熱を生じる可能性がある。また、チルトタイプの主軸装置に適用した場合には、主軸装置の姿勢変化により、一端排油穴９０３ａや排油溝９０３ｂ内に排出された潤滑油が軸受内部に戻り、潤滑油過多や攪拌抵抗によって異常発熱を生じる可能性がある。
【０００７】
本発明は、前述した課題に鑑みてなされたものであり、その目的は、良好な排油性を有し、潤滑油過多や異常発熱を抑制することができる主軸装置用軸受を提供することにある。
【課題を解決するための手段】
【０００８】
本発明の上記目的は、下記の構成により達成される。
（１）外周面に内輪軌道面を有する内輪と、
内周面に外輪軌道面を有する外輪と、
前記内輪軌道面と前記外輪軌道面との間に配置される複数の転動体と、
を有し、工具を取り付け可能な回転軸をハウジングに対して回転自在に支持するとともに、オイル潤滑によって潤滑される主軸装置用軸受であって、
前記外輪には、排油穴が径方向に貫通形成されるとともに、前記外輪の外周面には、前記排油穴と連通する周方向溝が形成され、
該排油穴内には、軸受外部からの吸引力によって、負圧が作用することを特徴とする主軸装置用軸受。
（２）前記外輪の内周面には、前記排油穴が開口する軸方向位置に集油溝が周方向に亘って形成されることを特徴とする（１）に記載の主軸装置用軸受。
（３）外周面に内輪軌道面を有する内輪と、
内周面に外輪軌道面を有する外輪と、
前記内輪軌道面と前記外輪軌道面との間に配置される複数の転動体と、
を有し、工具を取り付け可能な回転軸をハウジングに対して回転自在に支持するとともに、オイル潤滑によって潤滑される主軸装置用軸受であって、
前記外輪には、排油穴が径方向に貫通形成されるとともに、前記外輪の内周面には、前記排油穴が開口する軸方向位置に集油溝が周方向に亘って形成され、
該排油穴内には、軸受外部からの吸引力によって、負圧が作用することを特徴とする主軸装置用軸受。
【発明の効果】
【０００９】
本発明の主軸装置用軸受によれば、外輪に形成される排油穴内には、軸受外部からの吸引力によって、負圧が作用するので、軸受内部の余分な潤滑油を排油穴を介して速やかに排出することができる。特に、チルトタイプの主軸装置では、その姿勢が変化した場合であっても、排出されるはずの排油穴内の潤滑油が軌道面に戻ることが防止され、潤滑油過多や異常発熱を抑制することができる。
【００１０】
また、外輪の外周面には、排油穴と連通する周方向溝が形成されているので、ハウジングの排油通路との位相合わせを行うことなく、軸受をハウジングに組み付けることができ、主軸装置の組み付け性が向上される。
【００１１】
また、外輪の内周面には、排油穴が開口する軸方向位置に集油溝が周方向に亘って形成されているので、外輪の内周面に付着する、軸受を潤滑した潤滑油が集油溝に集められ、さらに、集油溝内の潤滑油が、軸受外部からの吸引力によって、排油穴へと速やかに排出される。これにより、軸受内部の潤滑油が過多となることが防止され、異常発熱を抑制することができる。
【００１２】
軸受が高速回転していると、玉の公転や保持器や内輪の自転の際、内部の空気もその粘性抵抗により、同様に回転させられ、円周方向の空気流が生じている。従って、外輪の内周面に付着した油も内周面に沿って円周方向に移動している。特に、回転軸が立軸の場合、重力効果が少ないのでこの油の移動が発生しやすい。従って、集油溝があると、集油溝内に油が集まりやすく、排油性が向上される。従って、集油溝は、角型より円弧状がより好ましい。
【図面の簡単な説明】
【００１３】
【図１】本発明の軸受を備える主軸装置が適用される門形マシニングセンタの概略図である。
【図２】第１実施形態の軸受が適用される主軸装置において、一方の前側軸受の給油通路及び排油通路を示す断面図である。
【図３】主軸装置において、他方の前側軸受の給油通路及び排油通路を示す断面図である。
【図４】主軸装置において、後側軸受の給油通路及び排油通路を示す断面図である。
【図５】主軸装置の前側軸受の拡大断面図である。
【図６】（ａ）は、本実施形態の前側軸受の変形例を示す拡大断面図であり、（ｂ）は、本実施形態の前側軸受の他の変形例を示す拡大断面図である。
【図７】主軸装置の後側軸受の拡大断面図である。
【図８】（ａ）は、本実施形態の後側軸受の変形例であり、（ｂ）は、本実施形態の後側軸受の他の変形例である。
【図９】（ａ）〜（ｈ）は、後側軸受の給油方向及び給油位置の各パターンを示す図である。
【図１０】第２実施形態の主軸装置の工具側断面図である。
【図１１】図１０の前側軸受の拡大断面図である。
【図１２】（ａ）は、本実施形態の前側軸受の変形例を示す拡大断面図であり、（ｂ）は、本実施形態の前側軸受の他の変形例を示す拡大断面図である。
【図１３】本実施形態の主軸装置の後側軸受の拡大断面図である。
【図１４】本実施形態の変形例の主軸装置の工具側断面図である。
【図１５】（ａ）は、図１４のＸＶ−ＸＶ線に沿った外筒と外輪の断面図であり、（ｂ）は、さらに他の変形例に係る（ａ）に対応する断面図である。
【図１６】（ａ）は、第３実施形態の主軸装置用軸受に係る前側軸受の拡大断面図であり、（ｂ）は、外輪の斜視図である。
【図１７】（ａ）は、第３実施形態の前側軸受の変形例を示す拡大断面図であり、（ｂ）は、第２実施形態の前側軸受の他の変形例を示す拡大断面図である。
【図１８】第４実施形態の主軸装置用軸受に係る前側軸受の拡大断面図である。
【図１９】（ａ）は、第４実施形態の前側軸受の変形例を示す拡大断面図であり、（ｂ）は、第３実施形態の前側軸受の他の変形例を示す拡大断面図である。
【図２０】（ａ）は、第５実施形態の主軸装置用軸受に係る前側軸受の拡大断面図であり、（ｂ）は、（ａ）のＸＸ−ＸＸ線に沿ったアンギュラ玉軸受の断面図である。
【図２１】第６実施形態の主軸装置用軸受に係る前側軸受の拡大断面図である。
【図２２】第７実施形態の主軸装置用軸受に係る前側軸受部分の拡大断面図である。
【図２３】（ａ）は、第８実施形態の主軸装置用軸受に係る後側軸受の拡大断面図であり、（ｂ）は、その変形例を示す拡大断面図である。
【図２４】第９実施形態の主軸装置用軸受に係る後側軸受の拡大断面図である。
【図２５】（ａ）は、第１０実施形態の主軸装置用軸受に係る後側軸受の拡大断面図であり、（ｂ）は、その変形例を示す拡大断面図である。
【図２６】（ａ）は、第１１実施形態の主軸装置用軸受に係る後側軸受の拡大断面図であり、（ｂ）は、その変形例を示す拡大断面図であり、（ｃ）は、他の変形例を示す拡大断面図である。
【図２７】（ａ）は、第１２実施形態の主軸装置用軸受に係る後側軸受の拡大断面図であり、（ｂ）は、その変形例を示す拡大断面図である。
【図２８】給油通路と排油通路の変形例を示す主軸装置の断面図である。
【図２９】本考案品と従来品での、軸受回転数と軸受外輪温度上昇との関係を示す。
【図３０】スピンドルの旋回状態を説明するための図である。
【図３１】４０，０００ｍｉｎ−１運転時にスピンドルを旋回させた場合の外輪温度を示すグラフである。
【図３２】従来の主軸装置における断面図である。
【発明を実施するための最良の形態】
【００１４】
（第１実施形態）
以下、本発明の第１実施形態に係る主軸装置用軸受について図面に基づいて詳細に説明する。
【００１５】
図１は、本実施形態の軸受を備えた主軸装置が組み込まれる、複合加工工作機械としての門形マシニングセンタを示す。門形マシニングセンタ１では、ベッド２の上にテーブル３がＸ軸方向へ移動可能に支持されており、ベッド２の両側には一対のコラム４が立設されている。コラム４の上端にはクロスレール５が架設されており、クロスレール５には、サドル６がＹ軸方向へ移動可能に設けられる。また、サドル６には、Ｚ軸方向に昇降可能なラム７が支持されており、ラム７の下端には、主軸装置２０をＹ軸回り及びＺ軸回りに回転割出し駆動可能に保持する主軸ヘッド８が装着されている。
【００１６】
主軸ヘッド８には、主軸装置２０のブラケット２１を挟むように一対の支持アーム９が設けられており、一対の支持アーム９は、ブラケット２１の両側面に固定された図示しない一対の旋回シャフトを回転可能に支持する。これにより、主軸装置２０は、主軸ヘッド８側に設けられた図示しない駆動機構によって一対の支持アーム９に対してＹ軸回りに旋回可能であり、水平位置と垂直位置との間、或いは、３６０度全域に亘って取付姿勢を変化することができるチルトタイプを構成する。
【００１７】
図２に示すように、主軸装置２０は、モータビルトイン方式であり、その軸方向中心部には、中空状の回転軸２２が設けられ、回転軸２２の軸芯には、ドローバ２３が摺動自在に挿嵌されている。ドローバ２３は、工具ホルダ２４に取付けられたプルスタッド２５を、クランプボール２６を介して、皿ばね２７の力によって反工具側方向（図の右方向）に付勢しており、工具ホルダ２４は、回転軸２２のテーパ面２８と嵌合する。工具ホルダ２４には図示しない工具が取り付けられており、この結果、回転軸２２は、一端（図の左側）に工具をクランプして、工具を取り付け可能としている。
【００１８】
また、回転軸２２は、その工具側を支承する２列の前側軸受６０，７０と、反工具側を支承する１列の後側軸受８０とによって、ブラケット２１（図１参照。）に固定されたハウジングＨを構成する外筒２９に回転自在に支持されている。なお、前側軸受６０，７０及び後側軸受８０は、本実施形態の主軸装置用軸受を構成する。
【００１９】
前側軸受６０，７０と後側軸受８０間における回転軸２２の外周面には、ロータ３０が焼き嵌めされたロータスリーブ３１が外嵌されている。また、ロータ３０の周囲に配置されるステータ３２は、ステータ３２に焼き嵌めされた冷却ジャケット３３を外筒２９に内嵌することで、外筒２９に固定される。従って、ロータ３０とステータ３２はモータを構成し、ステータ３２に電力を供給することでロータ３０に回転力を発生させ、回転軸２２を回転させる。
【００２０】
また、外筒２９と反工具側で固定されたハウジングＨを構成する後蓋３４には、工具アンクランプピストン３５を摺動自在に内嵌したハウジングＨを構成する工具アンクランプシリンダ３６が固定されている。よって、工具を交換する際には、油路３７から油圧室３８に作動油を導き、工具アンクランプピストン３５を工具側（図の左側）へ前進させることにより、ドローバ２３を工具側（図の左側）へ前進させて、工具をアンクランプする。
【００２１】
前側軸受６０，７０は、外輪６１，７１と、内輪６２，７２と、接触角を持って配置される転動体としての玉６３，７３と、玉６３，７３を略等間隔で保持する外輪案内の保持器６４，７４と、をそれぞれ有するアンギュラ玉軸受であり、背面組み合わせとなるように配置されている。後側軸受８０は、外輪８１と、内輪８２と、転動体としての円筒ころ８３と、円筒ころ８３を略等間隔で保持する外輪案内の保持器８４と、を有する円筒ころ軸受である。
【００２２】
前側軸受６０，７０の外輪６１，７１は外筒２９に内嵌されており、且つ外筒２９にボルト締結された前側軸受外輪押え３９によってノズル付き外輪間座４０を介して外筒２９に対し軸方向に固定されている。また、前側軸受６０，７０の内輪６２，７２は、回転軸２２に外嵌されており、且つ回転軸２２に締結されたナット４１によって内輪間座４２を介して回転軸２２に対し軸方向に固定されている。
【００２３】
後側軸受８０の外輪８１は後蓋３４に内嵌されており、且つ後蓋３４にボルト締結された後側軸受外輪押え４３によって後蓋３４に固定されている。後側軸受８０の内輪８２は、回転軸２２に形成されたテーパ面４４とテーパ嵌合されており、回転軸２２に締結された他のナット４５によって、内輪間座４６及び速度センサ４７の被検出部４８を介して位置決めされている。
【００２４】
なお、後側軸受外輪押え４３の反工具側には、被検出部４８と径方向に対向する位置に速度センサ４７の検出部４９が固定されており、回転軸２２の回転速度を検出する。また、前側軸受外輪押え３９の工具側端面には、フロントカバー５０がボルト固定されている。
【００２５】
ここで、図２〜図４に示すように、ハウジングＨを構成する外筒２９、後蓋３４、工具アンクランプシリンダ３６には、前側軸受６０，７０及び後側軸受８０をそれぞれ潤滑するための複数の給油通路（ハウジングＨの給油用穴）９０，９１，９２が形成されており、これら通路９０，９１，９２の一端側には、潤滑油を送り込む潤滑装置９３が図示しない配管を介してそれぞれ取り付けられている。なお、潤滑装置９３によって供給される潤滑方式は、オイル潤滑であればよく、オイルエア潤滑、オイルミスト潤滑、直噴潤滑等のいずれであってもよい。
【００２６】
例えば、オイルエア潤滑の場合、給油通路９０，９１，９２の他端側は、外輪間座４０に形成されたノズル４０ａ（図２参照。），４０ｂ（図３参照。）、後側軸受外輪押え４３に形成されたノズル４３ａ（図４参照。）と連通しており、潤滑装置９３によって送られた潤滑油を各軸受６０，７０，８０の側方から軸受空間内に供給する。
【００２７】
また、ハウジングＨには、各軸受６０，７０，８０を潤滑した潤滑油をそれぞれ排出する複数の排油通路（ハウジングＨの排油用穴）１００（図２参照。），１０１（図３参照。），１０２（図４参照。）が形成されており、これら通路１００，１０１，１０２の一端側には、潤滑油を吸引するための負圧発生装置１０３がそれぞれ図示しない配管を介して接続されている。
【００２８】
具体的に、図５に拡大して示すように、前側軸受７０では、複数の玉７３が、外輪７１の内周面に形成された断面略円弧状の外輪軌道面７１ｃと、内輪７２の外周面に形成された断面略円弧状の内輪軌道面７２ａとの間に径方向に対して接触角を持って配置されている。前側軸受７０の外輪７１には、カウンターボア側、及び反カウンターボア側の内周面で玉７３が通過する外輪軌道面７１ｃの近傍に開口して、且つ、径方向に貫通する排油穴７１ａ，７１ｂが周方向に略等間隔で複数本ずつ形成されている。また、外輪７１の外周面には、これら排油穴７１ａ，７１ｂがそれぞれ開口する環状の周方向溝７５ａ，７５ｂが形成されており、これら周方向溝７５ａ，７５ｂは、これら排油穴７１ａ，７１ｂと、外筒２９に形成された排油通路１０１の排油穴２９ａ，２９ｂとをそれぞれ連通する。なお、排油穴７１ａ，７１ｂは、外輪軌道面７１ｃの近傍に開口することが好ましく、図５に示すように、径方向から見て、玉７３とオーバーラップする位置にそれぞれ形成されている。この結果、転がり接触部を潤滑後、玉７３に付着した油が遠心力により振り切られた後、直接排油穴７１ａ，７１ｂに導かれるメリットがある。また、前側軸受６０は、前側軸受７０と背面組み合わせで配置される、前側軸受７０と同一の構成であるので、説明を省略する。
【００２９】
さらに、図６（ａ）に示すように、外輪７１の外周面には、排油穴７１ａ，７１ｂの両方が開口するような軸方向幅を有する単一の周方向溝７５ｃが形成されてもよい。この場合、この周方向溝７５ｃは、排油穴７１ａ，７１ｂと、軸受７０の軸方向中間位置における外筒２９に形成された排油通路１０１の一本の排油穴２９ｃとを連通する。
【００３０】
また、図６（ｂ）に示すように、玉７３に対して潤滑油を給油する側と反対側に位置するカウンターボア側の排油穴７１ｂのみが形成される場合には、この排油穴７１ｂが開口する周方向溝７５ｂのみが形成される。この場合、周方向溝７５ｂは、排油穴７１ｂと排油通路の排油穴２９ｂとを連通する。
【００３１】
また、図７に示すように、後側軸受８０も、前側軸受６０，７０と同様、外輪８１の軸方向両側の内周面で、円筒ころ８３と干渉しない円筒ころ８３が通過する外輪軌道面８１ｃの近傍に、径方向に貫通する排油穴８１ａ，８１ｂが周方向に略等間隔で複数本ずつ形成されている。そして、外輪８１の外周面には、これら排油穴８１ａ，８１ｂがそれぞれ開口する環状の周方向溝８５ａ，８５ｂが形成されており、これら周方向溝８５ａ，８５ｂは、これら排油穴８１ａ，８１ｂと、後蓋３４に形成された排油通路１０２の排油穴３４ａ，３４ｂとをそれぞれ連通する。
【００３２】
なお、図８（ａ）に示すように、円筒ころ８３に対して軸方向側から潤滑油が供給される場合には、潤滑油を給油する側と反対側に位置する排油穴８１ａのみが形成されてもよい。この場合、この排油穴８１ａが開口する軸方向位置に周方向溝８５ａが形成され、この周方向溝８５ａは、排油穴８１ａと排油通路１０２の排油穴３４ａとを連通する。
【００３３】
また、保持器８４は、軸方向両側に位置する一対の円環部８４ａ，８４ｂと、これら円環部８４ａ，８４ｂを連結し、周方向に略等間隔で配置される複数の柱部８４ｃと、を有し、これら円環部８４ａ，８４ｂと隣接する柱部８３ｃとで円筒ころ８３を保持するポケットを構成する。また、保持器８４は、円環部８４ａ，８４ｂが、円環部８４ａ，８４ｂの外周面を柱部８４ｃの外周面より径方向外側に突出するように形成されることで、外輪案内されるが、図８（ｂ）に示すように、一方の円環部８４ａのみで外輪案内されるように形成されてもよい。また、この場合、給油する側と反対側に位置する円環部８４ａで外輪案内することが、排油性の観点から好ましい。この理由は、円環部８４ａによる油の振り切り作用から、油が排油穴８１ａに導入されやすいからである。また、案内面が排油穴８１ａ近傍なので、案内面の油不足も生じにくいという潤滑面の利点もある。
【００３４】
また、本実施形態において、後側軸受８０である円筒ころ軸受への給油方向及び給油位置としては、図９（ａ）〜図９（ｈ）に示すようなものが挙げられる。具体的に、図９（ａ）に示すように、給油は、内輪８２の外周面と保持器８４の内周面との間に向けて、工具側から行われても良い。また、図９（ｂ）に示すように、給油は、外輪８１の内周面と保持器８４の外周面との間に向けて、工具側から行われても良い。さらに、図９（ｃ）に示すように、給油は、内輪８２の外周面と保持器８４の内周面との間に向けて、反工具側から行われても良く、図９（ｄ）に示すように、外輪８１の内周面と保持器８４の外周面との間に向けて、反工具側から行われても良い。
【００３５】
また、図９（ｅ）に示すように、給油は、内輪８２の外周面と保持器８４の内周面との間と、外輪８１の内周面と保持器８４の外周面との間の２箇所に向けて、工具側から行われても良い。また、図９（ｆ）に示すように、給油は、内輪８２と外周面と保持器８４の内周面との間に向けて、工具側と反工具側の両方から行われても良く、図９（ｇ）に示すように、外輪８１の内周面と保持器８４の外周面との間に向けて、工具側と反工具側の両方から行われても良い。加えて、図９（ｈ）に示すように、給油は、内輪８２の外周面と保持器８４の内周面との間と、外輪８１の内周面と保持器８４の外周面との間の２箇所に向けて、反工具側から行われても良い。なお、前側軸受６０，７０であるアンギュラ玉軸受への給油方向及び給油位置も、円筒ころ軸受と同様に、軸受の軸方向外側から給油することができる。
【００３６】
従って、各軸受６０，７０，８０を潤滑した、排油穴７１ａ，７１ｂ，８１ａ，８１ｂの潤滑油が、周方向溝７５ａ，７５ｂ，８５ａ，８５ｂと、各排油通路１００，１０１，１０２とを介して、外部へ排出される。この際、軸受外部からの吸引力、即ち、負圧発生装置１０３の吸引力によって、排油穴７１ａ，７１ｂ，８１ａ，８１ｂ内には、負圧が作用し、排油穴７１ａ，７１ｂ，８１ａ，８１ｂ内の潤滑油が強制的に吸引される。また、各外輪軌道面６１ｃ，７１ｃ，８１ｃの近傍の外輪６１，７１，８１の内周面に付着した潤滑油も、負圧発生装置１０３の吸引力によって、排油穴７１ａ，７１ｂ，８１ａ，８１ｂへと導かれる。
【００３７】
これにより、各軸受６０，７０，８０の外輪軌道面６１ｃ，７１ｃ，８１ｃの近傍に設けられた排油穴７１ａ，７１ｂ，８１ａ，８１ｂから余分な潤滑油を速やかに排出することができる。特に、本実施形態のようなチルトタイプの主軸装置２０において、その姿勢が変化した場合であっても、排出されるはずの潤滑油が軸受内部に戻ること、特に、排油穴７１ａ，７１ｂ，８１ａ，８１ｂに存在する潤滑油が外輪軌道面６１ｃ，７１ｃ，８１ｃに戻ることが防止され、潤滑油過多や攪拌抵抗による異常発熱を抑制することができる。
【００３８】
また、外輪６１，７１，８１の外周面には、排油穴７１ａ，７１ｂ，８１ａ，８１ｂとハウジングＨの排油通路１００，１０１，１０２とを連通する周方向溝７５ａ，７５ｂ，８５ａ，８５ｂが形成されているので、排油通路１００，１０１，１０２との位相合わせを行うことなく、軸受６０，７０，８０をハウジングＨに組み付けることができ、主軸装置２０の組み付け性が向上される。
【００３９】
また、本実施形態では、排油通路１００，１０１，１０２は、軸受６０，７０，８０毎に形成されているので、負圧発生装置１０３の吸引能力条件を変化させることで、各軸受６０，７０，８０の吸引効率を最適化することができる。
【００４０】
（第２実施形態）
次に、本発明の第２実施形態に係る主軸装置用軸受について、図１０及び図１１を参照して詳細に説明する。なお、本実施形態では、各軸受の外輪に形成される周方向溝の代わりに、ハウジングＨの内周面に環状溝を形成する点において、第１実施形態と異なる。そのため、第１実施形態と同等部分については、同一符号を付して説明を省略或いは簡略化する。
また、以下に説明するアンギュラ玉軸受に係る各実施形態では、複列の前側軸受のうち、反工具側のアンギュラ玉軸受について説明するものとし、工具側のアンギュラ玉軸受は同一構成であるとして、説明を省略する。
【００４１】
本実施形態の前側軸受７０では、図１０及び図１１に示すように、排油穴７１ａ，７１ｂの外周側と対向する、ハウジングＨを構成する外筒２９の内周面に、環状溝１２０ａ，１２０ｂが形成されている。これにより、環状溝１２０ａ，１２０ｂは、排油穴７１ａ，７１ｂと、外筒２９に形成された排油通路１０１の排油穴２９ａ，２９ｂとをそれぞれ連通する。
【００４２】
従って、本実施形態では、外輪７１の外周面に周方向溝を形成せずに、環状溝１２０ａ，１２０ｂを介して潤滑油を外部へ排出することができ、外輪７１の形状を簡素化して、加工精度を向上でき、さらに、軸受のコストダウンを図ることができる。また、周方向溝を形成した場合と同様に、外輪７１の排油穴７１ａ，７１ｂと外筒２９の排油穴２９ａ，２９ｂとの円周方向の位相合わせを容易に行なうことができる。
【００４３】
なお、上記構成は、第１実施形態の図６（ａ）、図６（ｂ）の前側軸受や、図７の後側軸受の構成においても適用可能である。即ち、図６（ａ）に対応する図１２（ａ）に示すように、単一の周方向溝７５ｃの代わりに、外筒２９の内周面には、排油穴７１ａ，７１ｂの両方が開口するような軸方向幅を有する単一の環状溝１２０ｃが形成されてもよい。この場合、この環状溝１２０ｃは、排油穴７１ａ，７１ｂと、軸受７０の軸方向中間位置における外筒２９に形成された排油通路１０１の一本の排油穴２９ｃとを連通する。
【００４４】
また、図６（ｂ）に対応する図１２（ｂ）に示すように、玉７３に対して潤滑油を給油する側と反対側に位置するカウンターボア側の排油穴７１ｂのみが形成される場合には、この排油穴７１ｂが開口する環状溝１２０ｂのみが形成される。この場合、環状溝１２０ｂは、排油穴７１ｂと排油通路１０１の排油穴２９ｂとを連通する。
【００４５】
また、図７に対応する図１３に示すように、周方向溝８５ａ，８５ｂの代わりに、ハウジングＨを構成する後蓋３４の内周面には、これら排油穴８１ａ，８１ｂがそれぞれ開口する環状溝１２１ａ，１２１ｂが形成されており、これら環状溝１２１ａ，１２１ｂは、これら排油穴８１ａ，８１ｂと、後蓋３４に形成された排油通路１０２の排油穴３４ａ，３４ｂとをそれぞれ連通する。
【００４６】
これら図１２（ａ）、（ｂ）及び図１３のいずれにおいても、位相合わせが容易に行なうことができると共に、外輪７１、８１の形状を簡素化して、加工精度を向上でき、軸受のコストダウンを図ることができる。
【００４７】
また、上述した環状溝１２０ａ，１２０ｂ，１２０ｃ，１２１ａ，１２１ｂは、３６０°全周に亘って形成されてもよいが、主軸の旋回範囲や旋回角度等に応じて、周方向に部分的に形成されてもよい。例えば、図１４及び図１５（ａ）に示すように、外輪７１の排油穴７１ｂが真下位置及びそこから９０度離れた真横位置の３箇所に形成されている場合には、環状溝１２０ｂは、これら３つの排油穴７１ｂに跨るような角度範囲で形成されればよい。これにより、給油穴や他の部品取り付け用のねじ穴等、主軸装置の他の構成要素と干渉することなく、環状溝１２０ｂを最適な角度範囲で形成することができる。
【００４８】
また、図１５（ｂ）に示すように、外輪７１の排油穴７１ｂが真下位置のみに形成されている場合には、環状溝１２０ｂは、この排油穴７１ｂのみを跨ぐように形成されればよい。
【００４９】
なお、第１実施形態の外輪の外周面に形成される周方向溝も、最適な角度範囲にて部分的に形成することができ、同様の効果を奏する。
【００５０】
（第３実施形態）
次に、本発明の第３実施形態に係る主軸装置用軸受について、図１６を参照して詳細に説明する。なお、本実施形態では、前側軸受であるアンギュラ玉軸受の構成において、第１実施形態と異なる。そのため、第１実施形態と同等部分については、同一符号を付して説明を省略或いは簡略化する。
【００５１】
図１６に示すように、本実施形態のアンギュラ玉軸受１７０では、外輪１７１は、玉７３に対して潤滑油を給油する側と反対側に位置するカウンターボア側に形成される排油穴７１ｂと、この排油穴７１ｂが開口する、外周面に形成される周方向溝７５ｂと、排油穴７１ｂが開口する軸方向位置の内周面に周方向に亘って形成される環状の集油溝１７２ｂと、を有する。また、周方向溝７５ｂは、排油穴７１ｂと排油通路１０１の排油穴２９ｂとを連通する。
【００５２】
従って、本実施形態では、外輪１７１の内周面には、排油穴７１ｂが開口する軸方向位置に集油溝１７２ｂが周方向に亘って形成されているので、外輪１７１の内周面に付着する、軸受１７０を潤滑した潤滑油が集油溝１７２ｂに集められ、さらに、集油溝１７２ｂ内の潤滑油が、負圧発生装置１０３の吸引力によって、排油穴７１ｂへと速やかに排出される。これにより、排油性をより向上することができ、潤滑油過多や異常発熱をさらに抑制することができる。
【００５３】
軸受１７０が高速回転していると、玉７３の公転や保持器７４や内輪７２の自転の際、内部の空気もその粘性抵抗により、同様に回転させられ、円周方向の空気流が生じている。従って、外輪１７１の内周面に付着した油も内周面に沿って円周方向に移動している。特に、回転軸２２が立軸の場合、重力効果が少ないのでこの油の移動が発生しやすい。従って、集油溝１７２ｂがあると、集油溝１７２ｂ内に油が集まりやすく、排油性が向上される。従って、集油溝１７２ｂは、角型より円弧状がより好ましい。
その他の構成及び作用については、第１実施形態のものと同様である。
【００５４】
なお、図１７（ａ）に示すように、周方向溝７５ｂの代わりに、排油穴７１ｂの外周側開口と対向する外筒２９の内周面に、環状溝１０４が形成されてもよい。この場合、環状溝１０４は、排油通路１０１の排油穴２９ｂと連通するように形成される。このため、負圧発生装置１０３によって吸引されながら、潤滑油は、集油溝１７２ｂによって集められ、排油穴７１ｂへと送られた後、環状溝１０４、排油穴２９ｂを介して排油通路１０１から外部へと排出される。
【００５５】
また、図１７（ｂ）に示すように、第１実施形態と同様、反カウンターボア側にも排油穴７１ａ、円周方向溝７５ａが形成される場合には、排油穴７１ａが開口する軸方向位置の内周面に周方向に亘って形成される環状の集油溝１７２ａが形成されてもよい。
【００５６】
（第４実施形態）
次に、本発明の第４実施形態に係る主軸装置用軸受について、図１８を参照して詳細に説明する。なお、本実施形態では、前側軸受であるアンギュラ玉軸受の構成において、第１〜第３実施形態と異なる。そのため、第１〜第３実施形態と同等部分については、同一符号を付して説明を省略或いは簡略化する。
【００５７】
図１８に示すように、本実施形態のアンギュラ玉軸受２７０の外輪２７１では、断面略円弧状の外輪軌道面７１ｃにおいて、玉７３の軸方向中心位置Ｏに対して、玉７３と外輪軌道面７１ｃが接触する接触点Ｐ１と反対側で、且つ、その軸方向中心位置Ｏから軸方向に外れた位置に開口する排油穴２７１ａが周方向に略等間隔で複数本ずつ形成されている。この排油穴２７１ａは、第１実施形態の排油穴２７１ａと同様、径方向に貫通しており、その外周側開口は、外輪２７１の外周面に形成された環状の周方向溝２７５に臨む。また、排油穴２７１ａの内周側開口は、外輪２７１の外輪軌道面２７１ｃに形成された環状の集油溝２７２に臨む。
【００５８】
従って、本実施形態によれば、排油穴２７１ａや集油溝２７２が外輪軌道面７１ｃ内に配置されているので、外輪軌道面７１ｃに付着する、軸受内部を潤滑した潤滑油は、負圧発生装置１０３によって吸引されながら、集油溝２７２、排油穴２７１ａ、周方向溝２７５、排油通路１０１を介して外部に排出される。
【００５９】
また、排油穴２７１ａや集油溝２７２は、玉７３の軸方向中心位置Ｏに対して、玉７３と外輪軌道面７１ｃが接触する接触点Ｐ１と反対側で、且つ、その軸方向中心位置Ｏから軸方向に外れた位置に形成されているので、主軸装置２０の高速回転時において、玉７３の遠心力により接触点Ｐ１が溝底寄りに変化しても、玉７３が排油穴２７１ａや集油溝２７２と接触することを防止することができる。
その他の構成及び作用については、第１〜第３実施形態のものと同様である。
【００６０】
なお、図１９（ａ）に示すように、本実施形態においても、周方向溝２７５の代わりに、排油穴２７１ａの外周側開口と対向する外筒２９の内周面に、環状溝１０４が形成されてもよい。この場合、環状溝１０４は、軸受２７０の中間位置に形成された排油通路１０１の排油穴２９ｃと連通するように形成される。このため、負圧発生装置１０３によって吸引されながら、潤滑油は、集油溝２７２によって集められ、排油穴２７１ａへと送られた後、環状溝１０４、排油穴２９ｃを介して排油通路１０１から外部へと排出される。
【００６１】
また、図１９（ｂ）に示すように、排油穴２７１ａ及び集油溝２７２に加えて、反カウンターボア側にも排油穴７１ａ及び集油溝１７２ａが形成されてもよい。そして、この変形例では、排油穴２７１ａ、７１ａの両方の外周側開口が臨む環状の周方向溝２７５ａが形成されている。従って、本変形例は、外輪軌道面７１ｃに付着した潤滑油と、外輪２７１の反カウンターボア側の内周面に付着した潤滑油とを、負圧発生装置１０３の吸引力によって、集油溝２７２、１７２ａに集めることができ、これら潤滑油を効果的に排出することができる。
【００６２】
（第５実施形態）
次に、本発明の第５実施形態に係る主軸装置用軸受について、図２０を参照して詳細に説明する。なお、本実施形態では、前側軸受であるアンギュラ玉軸受の構成において、第１〜第４実施形態と異なる。そのため、第１〜第４実施形態と同等部分については、同一符号を付して説明を省略或いは簡略化する。
【００６３】
図２０に示すように、本実施形態のアンギュラ玉軸受３７０では、外輪案内の保持器の代わりに、玉案内の保持器３７４が使用される。これにより、外輪３７１の内周面と保持器３７４の外周面との間に向けて、工具側（反カウンターボア側）から給油した場合にも、潤滑油が玉７３と外輪軌道面７１ｃとの間に入り込みやすくなる。
【００６４】
（第６実施形態）
次に、本発明の第６実施形態に係る主軸装置用軸受について、図２１を参照して詳細に説明する。なお、本実施形態では、前側軸受であるアンギュラ玉軸受の構成において、第１〜第５実施形態と異なる。そのため、第１〜第５実施形態と同等部分については、同一符号を付して説明を省略或いは簡略化する。
【００６５】
図２１に示すように、本実施形態のアンギュラ玉軸受４７０では、給油が外輪４７１に径方向に貫通形成された給油穴４７２を介して行われている。具体的に、給油穴４７２は、断面略円弧状の外輪軌道面７１ｃにおいて、玉７３の軸方向中心位置Ｏに対して、玉７３と外輪軌道面７１ｃが接触する接触点Ｐ１と反対側で、且つ、その軸方向中心位置Ｏから軸方向に外れた位置に開口する。
【００６６】
また、外輪４７１の外周面には、給油穴４７２が開口する軸方向位置に環状の周方向溝４７４が形成されている。これにより、外筒２９に形成された給油通路９１（図３参照。）から供給された潤滑油は、周方向溝４７４、給油穴４７２を介して、玉７３と外輪軌道面７１ｃ及び内輪軌道面７２ａとの接触点Ｐ１，Ｐ２に近い位置に供給される。
【００６７】
また、排油穴７１ａ、周方向溝７５ａ、集油溝１７２ａが反カウンターボア側に形成されており、軸受内部を潤滑した潤滑油が、負圧発生装置１０３の吸引力によって、集油溝１７２ａ、排油穴７１ａ、円周方向溝７５ａ、排油通路１０１を介して強制的に外部に排出される。なお、外輪４７１の保持器４７５には、その外周面が集油溝１７２ａとの干渉を回避するように、逃げ溝４７５ａが形成されている。また、図２１では、簡略化のため、給油穴４７２と排油穴７１ａが同一断面に示されているが、実際には、異なる位相に配置されている。
なお、給油は、給油穴４７２単独であっても良いし、間座４０のノズルからの給油を併用してもよい。
【００６８】
（第７実施形態）
次に、本発明の第７実施形態に係る主軸装置用軸受について、図２２を参照して詳細に説明する。なお、第３実施形態と同等部分については、同一符号を付して説明を省略或いは簡略化する。
【００６９】
本実施形態では、第３実施形態に係るアンギュラ玉軸受１７０の側方に配置された鍔付き外輪間座５００に、外筒２９の排油通路１０１と連通する排油穴５０１が形成されている。排油穴５０１は、軸受側方に対向する軸方向端面開口と外周面開口とを連通するように略Ｌ字状に形成されている。また、鍔付き外輪間座５００の外周面には、排油穴５０１の外周面開口が臨む環状の周方向溝５０２が形成されている。
【００７０】
従って、外輪１７０のカウンターボア側の内周面に付着した、軸受内部を潤滑した潤滑油は、負圧発生装置１０３の吸引力によって、集油溝１７２ｂ、排油穴７１ｂ、周方向溝７５ｂ、排油通路１０１を介して強制的に外部に排出される。また、このカウンターボア側の内周面から軸受側方に流出した潤滑油も、負圧発生装置１０３の吸引力によって、排油穴５０１、周方向溝５０２、排油通路１０１を介して強制的に外部に排出される。これにより、潤滑油をより効果的に排出することができる。
【００７１】
（第８実施形態）
次に、本発明の第８実施形態に係る主軸装置用軸受について、図２３を参照して詳細に説明する。なお、本実施形態では、後側軸受である円筒ころ軸受の構成において、第１実施形態と異なる。そのため、第１実施形態と同等部分については、同一符号を付して説明を省略或いは簡略化する。
【００７２】
図２３（ａ）に示すように、本実施形態の円筒ころ軸受１８０では、外輪１８１は、円筒ころ８３が通過する外輪軌道面８１ｃと干渉しない外輪軌道面８１ｃの近傍に、径方向に貫通する複数の排油穴８１ａ，８１ｂと、これら排油穴８１ａ，８１ｂがそれぞれ開口する、外周面に形成される周方向溝８５ａ，８５ｂと、排油穴８１ａ，８１ｂが開口する軸方向位置に、内周面に周方向に亘って形成される環状の集油溝１８２ａ，１８２ｂと、を有する。また、周方向溝８５ａ，８５ｂは、排油穴８１ａ，８１ｂと排油通路１０２の排油穴３４ａ，３４ｂとをそれぞれ連通する。
【００７３】
従って、本実施形態では、外輪１８１の内周面には、排油穴８１ａ，８１ｂが開口する軸方向位置に集油溝１８２ａ，１８２ｂが周方向に亘って形成されているので、外輪１８１の内周面に付着する、軸受１８０を潤滑した潤滑油が集油溝１８２ａ，１８２ｂに集められ、さらに、集油溝１８２ａ，１８２ｂ内の潤滑油が、負圧発生装置１０３の吸引力によって、排油穴８１ａ，８１ｂへと速やかに排出される。これにより、排油性をより向上することができ、潤滑油過多や異常発熱をさらに抑制することができる。
その他の構成及び作用については、第１実施形態のものと同様である。
【００７４】
なお、図２３（ｂ）に示すように、周方向溝８５ａ，８５ｂの代わりに、排油穴８１ａ，８１ｂの外周側開口と対向する後蓋３４の内周面に、環状溝１０５ａ，１０５ｂが形成されてもよい。この場合、環状溝１０５ａ，１０５ｂは、排油通路１０２の排油穴３４ａ，３４ｂと連通するように形成される。このため、負圧発生装置１０３によって吸引されながら、潤滑油は、集油溝１８２ａ，１８２ｂによって集められ、排油穴８１ａ，８１ｂへと送られた後、環状溝１０５ａ，１０５ｂ、排油穴３４ａ，３４ｂを介して排油通路１０２から外部へと排出される。
【００７５】
（第９実施形態）
次に、本発明の第９実施形態に係る主軸装置用軸受について、図２４を参照して詳細に説明する。なお、本実施形態では、後側軸受である円筒ころ軸受の構成において、第１実施形態と異なる。そのため、第１実施形態と同等部分については、同一符号を付して説明を省略或いは簡略化する。
【００７６】
図２４に示すように、本実施形態の円筒ころ軸受２８０では、給油が外輪２８１に径方向に貫通形成された給油穴２８２を介して行われている。具体的に、給油穴２８２は、外輪軌道面８１ｃの近傍に開口しており、また、外輪２８１の外周面には、給油穴２８２が開口する軸方向位置に環状の周方向溝２８３が形成されている。これにより、後蓋３４に形成された給油通路９２（図４参照。）から供給された潤滑油は、周方向溝２８３、給油穴２８２を介して、円筒ころ８３の転動面と外輪軌道面８１ｃ及び内輪軌道面８２ａに供給される。
【００７７】
また、排油穴８１ｂ、周方向溝８５ｂが給油穴２８２と円筒ころ８３を間にして軸方向反対側に形成されており、軸受内部を潤滑した潤滑油が、負圧発生装置１０３の吸引力によって、排油穴８１ｂ、周方向溝８５ｂ、排油通路１０２を介して強制的に外部に排出される。また、図１８では、簡略化のため、給油穴２８２と排油穴８１ｂが同一断面に示されているが、実際には、異なる位相に配置されている。
【００７８】
（第１０実施形態）
次に、本発明の第１０実施形態に係る主軸装置用軸受について、図２５を参照して詳細に説明する。なお、本実施形態では、後側軸受である円筒ころ軸受の構成において、第１実施形態と異なる。そのため、第１実施形態と同等部分については、同一符号を付して説明を省略或いは簡略化する。
【００７９】
図２５に示すように、本実施形態の円筒ころ軸受３８０では、外輪案内の保持器の代わりに、ころ案内の保持器３８４が使用される。これにより、外輪３８１の内周面と保持器３８４の外周面との間に向けて、軸受側方から給油した場合にも、潤滑油が円筒ころ８３と外輪軌道面８１ｃとの間に入り込みやすくなる。また、排油性もより向上する。
【００８０】
なお、図２５（ａ）においても、排油穴８１ａ，８１ｂは、円筒ころ８３と干渉しない円筒ころ８３が通過する外輪軌道面８１ｃの近傍に形成されているが、円筒状の外輪軌道面８１ｃとその軸方向両端部のテーパ面８１ｄ，８１ｄとの境界部分に複数の排油穴８１ａ，８１ｂが形成されてもよい（図２５（ｂ）参照。）。これにより、外輪軌道面８１ｃの近傍に付着した潤滑油に加え、外輪３８１と外輪間座６００（本実施形態の場合、後蓋３４や後側軸受外輪押え４３であってもよい。）との軸方向端面間に溜まった潤滑油を速やかに排出することができ、特に、チルトタイプの主軸装置２０においては、より効率的な排油が可能である。
【００８１】
（第１１実施形態）
次に、本発明の第１１実施形態に係る主軸装置用軸受について、図２６を参照して詳細に説明する。なお、第１０実施形態と同等部分については、同一符号を付して説明を省略或いは簡略化する。
【００８２】
図２６（ａ）に示すように、本実施形態では、第９実施形態に係る円筒ころ軸受３８０の側方に配置された外輪間座６００に、後蓋３４の排油通路１０２と連通する排油穴６０１が傾斜して形成されている。排油穴６０１は、外輪間座６００の軸方向端部の内周面に形成された面取り部６０２に開口され、該開口が軸方向端面に接するように形成されている。なお、外輪間座６００の軸方向端面の内径は、外輪３８１の軸方向端面の内径より大径に形成されている。また、外輪間座６００の外周面には、排油穴６０１が開口する軸方向位置に環状の周方向溝６０３が形成されている。
【００８３】
これにより、負圧発生装置１０３の吸引力によって、外輪軌道面８１ｃの近傍に付着した潤滑油が外輪３８１の排油穴８１ｂによって強制的に排出されるとともに、テーパ面８１ｄに付着した潤滑油や、外輪３８１と外輪間座６００との軸方向端面間に溜まった潤滑油を外輪間座６００の排油穴６０１によって強制的に外部へ排出することができる。
【００８４】
なお、図２６（ｂ）に示すように、外輪間座６００のみに排油穴６０１が形成されてもよく、また、図２６（ｃ）に示すように、外輪間座６００の内周面には、排油穴６０１が開口する軸方向位置に環状の集油溝６０４が形成されてもよい。
【００８５】
（第１２実施形態）
次に、本発明の第１２実施形態に係る主軸装置用軸受について、図２７を参照して詳細に説明する。なお、本実施形態では、後側軸受である円筒ころ軸受の構成において、第１実施形態と異なる。そのため、第１実施形態と同等部分については、同一符号を付して説明を省略或いは簡略化する。
【００８６】
本実施形態では、図２７（ａ）に示すように、外輪４８１と、内輪４８２と、２列の外輪軌道面４８１ｃ，４８１ｃと２列の内輪軌道面４８２ａ，４８２ａとの間に配置される２列の円筒ころ４８３と、各列の円筒ころ４８３を略等間隔で保持する保持器４８４，４８４と、を有する複列円筒ころ軸受４８０が使用されている。
【００８７】
このような複列円筒ころ軸受４８０の外輪４８１には、２列の外輪軌道面４８１ｃ，４８１ｃ間に径方向に貫通する排油穴４８１ａが周方向に略等間隔で複数本ずつ形成されており、また、外輪４８１の外周面には、排油穴４８１ａが開口する軸方向位置に環状の周方向溝４８５ａが形成されている。
【００８８】
従って、２列の外輪軌道面４８１ｃ，４８１ｃ間の内周面に付着する、軸受内部を潤滑した潤滑油は、負圧発生装置１０３の吸引力によって、排油穴４８１ａ、周方向溝４８５ａを介して、外部に強制的に排出される。
【００８９】
なお、図２７（ｂ）に示すように、外輪４８１には、２列の外輪軌道面４８１ｃ，４８１ｃ間に形成される複数の排油穴４８１ａに加えて、軸方向両側にも径方向に貫通する複数の排油穴４８１ｂ，４８１ｂが形成されてもよい。この場合にも、外輪４８１の外周面には、これら排油穴４８１ｂ，４８１ｂが開口する軸方向位置に環状の周方向溝４８５ｂ，４８５ｂが形成されている。これにより、複列円筒ころ軸受４８０においても、各列の外輪軌道面４８１ｃ，４８１ｃの近傍に付着する潤滑油を、負圧発生装置１０３の吸引力によって、速やかに排出することができる。
【００９０】
尚、本発明は、前述した各実施形態に限定されるものではなく、適宜、変形、改良、等が可能である。
本実施形態では、前側軸受６０，７０を２列のアンギュラ玉軸受，後側軸受８０を円筒ころ軸受としたが、各軸受の種類や列数は任意に設定可能である。
また、本実施形態では、アンギュラ玉軸受の排油穴７１ａ，７１ｂや円筒ころ軸受の排油穴８１ａ，８１ｂは、それぞれ周方向に複数本ずつ形成されているが、周方向に少なくとも一本形成されればよい。
【００９１】
さらに、図２８に示す工作機械用主軸装置２０ａのように、各軸受６０，７０，８０の排油穴が、ハウジングＨに形成された単一の排油通路１１０と連通し、この排油通路１１０が、負圧発生装置１０３に図示しない配管を介して接続されてもよい。
【００９２】
これにより、各軸受６０，７０，８０を潤滑した潤滑油は、負圧発生装置１０３の吸引力によって強制的に吸引されながら、排油穴を介して、単一の排油通路１１０から外部へ排出され、軸受内部の潤滑油過多や異常発熱を抑制することができる。また、ハウジングＨに穴加工する排油通路の数を少なくすることができ、加工コストを低減することができる。なお、図２８では、異なる位相の前側軸受６０，７０のノズル４０ａ，４０ｂと、後側軸受８０のノズル４３ａとを同じ断面に示している。
【００９３】
また、本実施形態では、軸受６０，７０，８０毎に複数の給油通路９０，９１，９２が設けられているが、これら給油通路９０，９１，９２を単一の給油通路として、主軸装置２０内で分岐して供給するようにしてもよく、潤滑方式や潤滑条件により複数の軸受毎に別通路とするか単一の共有通路とするかは最適方式を選択できる。
【実施例】
【００９４】
ここで、第１実施形態（図５の前側軸受、及び図７の後側軸受）に示す本考案の主軸装置（本考案品）と、従来の主軸装置（従来品）を用いて、運転時の軸受の温度上昇を測定した。以下、試験条件について列挙する。
【００９５】
＜試験条件＞
（１）主軸軸受形式：アンギュラ玉軸受
（２）軸受主要寸法：軸受内径５０ｍｍ、軸受外径８０ｍｍ
（３）試験時のスピンドル回転数：最高４０，０００ｍｉｎ−１（軸受ｄｍ・Ｎ値：２．６×１０６）
（４）潤滑方法：オイルエア潤滑
（５）排油方法
・本考案品：排油孔からの吸引あり（負圧吸引あり）
・従来品：排油孔からの吸引なし（重力による排出のみ：大気圧条件）
【００９６】
図２９は、本考案品と従来品での、軸受回転数と軸受外輪温度上昇との関係を示す。図２９からわかるように、従来品に対して本考案品は、軸受外輪の温度上昇値が回転数上昇に伴い低く推移しており、特に、２０，０００ｍｉｎ−１以上の高速回転において、約３〜４℃前後低くなっている。
【００９７】
これは、排油孔からの吸引により重力の影響を受けず、軸受に供給された潤滑油が軸受内部に停滞することなく、スムーズに排出されていることによるものである。高速運転状態において、油の軸受内部での滞油が続くと、攪拌抵抗による昇温が急激に生じる場合があり、発熱の際の潤滑油の粘度低下によりころがり接触部の油膜厚が薄くなり金属接触から瞬時に焼付きが発生する。本考案品は、高速スピンドルや旋回型のスピンドルの構造において、これらの焼付きリスクを大幅に低減することが可能となる。
【００９８】
次に、高速回転時にスピンドルを旋回させて、排油孔からの吸引効果の確認を行った。図３０に示すように、スピンドル水平状態（回転軸芯が水平：位相を０°とする。）で、４０，０００ｍｉｎ−１で連続運転（３０分）している状態から、旋回サイクルをスタートした。即ち、垂直状態：スピンドル工具取付面が下方（位相９０°）、さらに、水平状態（位相１８０°）へ旋回させ、その後、垂直状態（位相９０°）を経て、スタート時の水平状態（位相０°）へ戻る首振り旋回サイクル（１サイクル約２０秒）を行った。なお、その他の試験条件は上記のものと同じである。
【００９９】
図３１に示すように、従来品では、首振り前の状態での温度上昇も本考案品に対して約５℃高い。また、従来品では、首振り旋回サイクル開始後、約１時間の間に３℃前後外輪温度が変化しているが、本考案品では、ほとんど温度が変化しないことが確認できた。これは、本考案品では、旋回時における内部潤滑油の排出むらが発生していないことが理由と考えられる。
【０１００】
本考案品は、従来品に比べて温度上昇が５℃程度低く、さらに旋回サイクル運転時の温度のばらつきが少ないことから、スピンドルの熱変位を抑制し加工精度の向上を図ることが可能である。
また、潤滑油が軸受内部から速やかに排出されるので、高速運転時に潤滑油の軸受内部停滞による攪拌抵抗から異常発熱が生じて焼付きに至るリスクを軽減することができる。
その結果、安定した高速回転でのスピンドル首振り運転による加工が可能となる。
【符号の説明】
【０１０１】
１  門形マシニングセンタ（複合加工工作機械）
２０  主軸装置
２２  回転軸
３０  ロータ
３２  ステータ
４０  外輪間座
６０，７０，１７０，２７０，３７０，４７０  前側軸受
６１，７１，８１，１７１，２７１，３７１，４７１，１８１，２８１，３８１，４８１  外輪
７１ａ，７１ｂ，８１ａ，８１ｂ，２７１ａ  排油穴
８０，１８０，２８０，３８０  後側軸受（円筒ころ軸受）
４８０  後側軸受（複列円筒ころ軸受）
１００，１０１，１０２  排油通路
１０３  負圧発生装置
１２０ａ，１２０ｂ，１２０ｃ，１２１ａ，１２１ｂ  環状溝
１７２ａ，１７２ｂ，１８２ａ，１８２ｂ，２７２  集油溝
５００，６００  外輪間座
Ｈ  ハウジング
【図１】
2010133548.tif 000003
【図２】
2010133548.tif 000004
【図３】
2010133548.tif 000005
【図４】
2010133548.tif 000006
【図５】
2010133548.tif 000007
【図６】
2010133548.tif 000008
【図７】
2010133548.tif 000009
【図８】
2010133548.tif 000010
【図９】
2010133548.tif 000011
【図１０】
2010133548.tif 000012
【図１１】
2010133548.tif 000013
【図１２】
2010133548.tif 000014
【図１３】
2010133548.tif 000015
【図１４】
2010133548.tif 000016
【図１５】
2010133548.tif 000017
【図１６】
2010133548.tif 000018
【図１７】
2010133548.tif 000019
【図１８】
2010133548.tif 000020
【図１９】
2010133548.tif 000021
【図２０】
2010133548.tif 000022
【図２１】
2010133548.tif 000023
【図２２】
2010133548.tif 000024
【図２３】
2010133548.tif 000025
【図２４】
2010133548.tif 000026
【図２５】
2010133548.tif 000027
【図２６】
2010133548.tif 000028
【図２７】
2010133548.tif 000029
【図２８】
2010133548.tif 000030
【図２９】
2010133548.tif 000031
【図３０】
2010133548.tif 000032
【図３１】
2010133548.tif 000033
【図３２】
2010133548.tif 000034